(57)【特許請求の範囲】
【請求項１】
タンク車用ホースの接続金具と、サイロ用ホースの接続金具とにパッキングを介装し、その外側をカップリングで締付固定するようにした接続装置において、前記パッキングは、筒状本体の端面に、タンク車用ホースの接続金具の補助パイプとテーパーパイプの間及びサイロ用ホースの接続金具のテーパーパイプの内面に嵌装する嵌装部を設けてあり、前記タンク車用ホースの接続金具の内側に、前記パッキングの流入端側を覆う補助パイプを固定したことを特徴とするタンク車用ホースの接続装置。
【請求項２】
タンク車用ホースの接続金具と、サイロ用ホースの接続金具とにパッキングを介装し、その外側をカップリングで締付固定するようにした接続装置において、前記パッキングは、筒状本体の内面が、送流物に露出し、外面に両接続金具のテーパーパイプの端面嵌入用溝を設けてあり、前記タンク車用ホースの接続金具の内側に、前記パッキングの流入端側を覆う補助パイプを固定したことを特徴とするタンク車用ホースの接続装置。
【請求項３】
一端部をホース接続部とした接続パイプの他端部内側に、補助パイプを溶接固定すると共に、該補助パイプの突出部外側へ、パッキング装着用のテーパーパイプの小径端を前記接続パイプに固定したことを特徴とするタンク車用ホースの接続金具。
【発明の詳細な説明】
【０００１】
【発明の属する技術分野】
この発明は、タンク車用ホースの接続金具にサイロ用ホースの接続金具を接続する際、介装するパッキングの流入端を保護することを目的としたタンク車用ホースの接続装置及び接続金具に関する。
【０００２】
【従来の技術】
従来タンク車から、サイロに粉体を移送する際、両者間を接続用ホースで連結することは広く知られている。前記連結に際し、タンク車用ホースの接続金具と、サイロ用ホースの接続金具は、パッキングを介して連結している。
【０００３】
前記連結部において、一方の接続金具の口部に、金網を張設して異物の通過を阻止するようにした発明が知られている（特開平７−２９１０２４号）。
【０００４】
【発明により解決しようとする課題】
前記従来の接続装置において、パッキングの端面が移送する粉体に露出している場合には、流入側のパッキングの端面に粉体が衝突するため、パッキングを破壊し、遂には粉体にパッキングの破片が混入したままサイロ内に入るような事故を発生する問題点があった。
【０００５】
前記公知の発明においては、接続金具の口部に金網を張設して異物の通過を阻止しようとしているが、前記破片が金網の目より小さい時には、金網を通過することになり、万全とは言えない問題点がある。
【０００６】
従来タンク車とサイロの接続ホースは、粉体などを移送する度に取付け、取外しをしなければならないが、例えば接続面へＯリングを改装して締付固定するような構造では、取付け、取外しに熟練度を要することが多く、作業の容易性から、接続金具の端部を、パッキングの溝に嵌装する構造が多く採用されている。
【０００７】
【課題を解決するための手段】
この発明は、タンク車用ホースの接続金具の内側又はタンク車の接続金具の内側に、パッキングの粉体流入側端面を覆う補助パイプを固定することにより、前記問題点を解決したのである。
【０００８】
即ちこの発明は、タンク車用ホースの接続金具と、サイロ用ホースの接続金具とにパッキングを介装し、その外側をカップリングで締付固定するようにした接続装置において、前記パッキングは、筒状本体の端面に、タンク車用ホースの接続金具の補助パイプとテーパーパイプの間及びサイロ用ホースの接続金具のテーパーパイプの内面に嵌装する嵌装部を設けてあり、前記タンク車用ホースの接続金具の内側に、前記パッキングの流入端側を覆う補助パイプを固定したことを特徴とするタンク車用ホースの接続装置であり、タンク車用ホースの接続金具と、サイロ用ホースの接続金具とにパッキングを介装し、その外側をカップリングで締付固定するようにした接続装置において、前記パッキングは、筒状本体の内面が、送流物に露出し、外面に両接続金具のテーパーパイプの端面嵌入用溝を設けてあり、前記タンク車用ホースの接続金具の内側に、前記パッキングの流入端側を覆う補助パイプを固定したことを特徴とするタンク車用ホースの接続装置である。
【０００９】
また他の発明は、一端部をホース接続部とした接続パイプの他端部内側に、補助パイプを溶接固定すると共に、該補助パイプの突出部外側へ、パッキング装着用のテーパーパイプの小径端を前記接続パイプに固定したことを特徴とするタンク車用ホースの接続金具である。
【００１０】
またホースは、その一端の接続金具の内側に、接続に使用するパッキングの内容物流入端を覆う補助パイプを固定したことを特徴とするタンク車用接続金具付ホースである。
前記発明は、タンク車用ホースの接続装置について説明したが、タンク車用以外であっても取付け、取外しを頻繁に行う粉体移送用ホースの接続装置として採用することができるので、用途はタンク車に限定されない。
【００１１】
前記接続金具及びパッキング並びにカップリングの材質は従来使用されているものと同様である。前記接続金具中補助パイプの材質は、不銹、強靭であって、耐久性のある金属、例えばステンレススチールが使用される。
【００１２】
前記補助パイプの固定は、溶接が一般的であるが、これに限定されるものではなく、固定が確実で耐久性、耐摩耗性があることが必須条件である。
【００１３】
【発明の実施の形態】
この発明は、タンク車用ホースの接続金具の端部内側に、パッキングの流入端（粉体の流入側端面）を覆う補助パイプを固定したことを特徴とするタンク車用ホースの接続装置及びホースに関するものである。
【００１４】
前記補助パイプは、不銹、耐摩耗性のある金属製であって、強固に固定（例えば溶接）されており、ホースの取付け、取外しに際し、変形、破損のおそれがない程度の強度を保有している。例えば衝撃（床上に落下したり、取扱い中に他物にぶつかったりすること）で変形、破損しない程度の強度を保有している。
【００１５】
【実施例１】
この発明の接続装置の実施例を図１、２について説明する。タンク車１の粉体取出しパイプ２と、サイロ２３の粉体移送用のホース３とを、連結ホース４で連結して、タンク車１内の粉体をサイロ２３に移送するのであるが、前記連結ホース４の両端を、前記タンク車１の取出しパイプ２と、サイロのホース３に接続する接続装置について説明する。前記連結ホース４は、ホース６の両端部へパイプ５の一端部５ａを夫々固定し、一方のパイプ５の他端部内側に補助パイプ７の一端を溶接固定して、パイプ５から突出させ、前記補助パイプ７の突出部外側へパッキング保定用のテーパーパイプ８を装着し、その小径端をパイプ５に溶接固定して、この発明の接続金具１０を構成した。また他方のパイプ５の外側にパイプ２２ａを介してテーパーパイプ２２を溶接固定して接続金具１０ａを構成した。
【００１６】
前記接続金具１０と、サイロの粉体移送用のホース３の接続金具９とをパッキング１１を介して対向させ、パッキング１１の両端テーパー部１１ａ、１１ｂを、前記接続金具１０の補助パイプ７と、テーパーパイプ８の間及び前記接続金具９のテーパーパイプ１２の下部へ嵌装し、前記テーパーパイプ８、１２の端面は、前記パッキング１１の外側中央に設けた環状突部１３の環状溝１３ａ、１３ｂに嵌装し、前記テーパーパイプ８、１２及び環状突部１３の外側へカップリング１４を装着して締付固定して、この発明の接続装置が完成する（図１）。前記カップリング１４は二つ割であって、ボルトにより締付固定する（従来公知の物を用いることができる）。図中２４はホース６の締付バンドである。
【００１７】
前記実施例において、粉体移送時には、粉体が図１中矢示１５の方向に高速流動するけれども、パッキング１１の流入側の端部は、補助パイプ７で被覆されており、粉体と接触しないので、破損するおそれは皆無であり、粉体の抵抗になるおそれもない。
【００１８】
【実施例２】
この発明の接続金具の実施例を図２、３について説明する。タンク車１の接続金具１６は、パイプ１７の流出端内側へ、補助パイプ１８の内端を溶接固定し、該補助パイプ１８の突出端部外側へ、テーパーパイプ１９を装着して、その小径端を前記パイプ本体１７に溶接固定して構成した。図中２０はタンク車１の粉体取出しパイプ２のフランジ２１と接続するフランジである。
【００１９】
前記補助パイプ１８と、テーパーパイプ１９との間へパッキング１１のテーパー部１１ａを挿入し、連結ホース４の接続金具１０ａに溶接したテーパーパイプ２２の下面へ、前記パッキング１１のテーパー部１１ｂを挿入し、前記テーパーパイプ１９、２２の端面を、前記パッキング１１の環状凸部１３の環状溝１３ａ、１３ｂに挿入当接させ、前記テーパーパイプ１９、２４の外側へカップリング１４を装着して締付固定する。
【００２０】
【実施例３】
この発明の連結ホース４の実施例を図４について説明する。所定長さ（例えば３〜７ｍ）のホース６の一端に接続金具１０を連結し、ホース６の他端に、前記接続金具１０の補助パイプ７のない接続金具１０ａを接続して連結ホース４を構成した。図中２４はホース６の締付バンドである。
【００２１】
前記連結ホース４は通常タンク車１に載せて移動し、粉体移送の際、タンク車１と、サイロ２３とを連結し、粉体移送系を完結する。
【００２２】
【発明の効果】
この発明は、ホース連結部に用いるパッキングの流入端を補助パイプで被覆するので、連結ホースを長い間使用しても、連結部のパッキングが破損、変形、破片飛散その他の事故を未然に防止し得る効果がある。
【図面の簡単な説明】
【図１】この発明の接続装置の実施例の一部断面拡大図。
【図２】同じく使用状態の説明図。
【図３】同じく他の実施例の一部断面拡大図。
【図４】同じく連結ホースの実施例の一部を省略した拡大図。
【符号の説明】
１  タンク車
２  パイプ
３  ホース
４  連結ホース
５  パイプ
６  ホース
７  補助パイプ
８、１２  テーパーパイプ
９、１０  接続金具
１１  パッキング
１３  環状突部
１４  カップリング
１６  接続金具
１７  パイプ
１８  補助パイプ
１９、２２  テーパーパイプ
２０、２１  フランジ
２３  サイロ
２４  締付バンド
【図１】
0004399613.tif 000002
【図２】
0004399613.tif 000003
【図３】
0004399613.tif 000004
【図４】
0004399613.tif 000005